(57)【要約】【課題】光源を頻繁に交換する必要がなく、また、光源の一部が切れても、道路標示を明確に示すことのできる内部照明式道路標識を提供する。【解決手段】道路標示を記載した繊維シート３で前面を形成した箱体２の内部に発光部４を配置し、内部から前記道路標示を照らし出す道路標識であって、前記発光部４を、縦長で、前記箱体２の左右方向に複数並べて配置した基板５と、前記基板５の縦方向に複数、着脱自在に取付けたＬＥＤ６とで構成したことを特徴とする。【選択図】図１
2009138372.tif 000002
【特許請求の範囲】
【請求項１】
道路標示を記載した繊維シートで前面を形成した箱体の内部に発光部を配置し、内部から前記道路標示を照らし出す道路標識であって、
前記発光部を、縦長で、前記箱体の左右方向に複数並べて配置した基板と、前記基板の縦方向に複数、着脱自在に取付けたＬＥＤとで構成したことを特徴とする内部照明式道路標識。
【請求項２】
前記発光部の基板は、二つの斜面を有しそれら斜面の交線が垂直に延びる水平断面山形状であり、前記ＬＥＤは、前記基板の斜面に対して取付けられることを特徴とする請求項１に記載の内部照明式道路標識。
【請求項３】
前記箱体の左右両側端部に位置する基板のうち、最端側の斜面に取付けるＬＥＤを縦方向に二列に配置し、他方の斜面および残りの基板に取付けるＬＥＤを縦方向に一列に配置したことを特徴とする請求項２に記載の内部照明式道路標識。
【請求項４】
前記発光部を、前記箱体から挿脱自在としたことを特徴とする請求項１乃至３のうちいずれか一つに記載の内部照明式道路標識。
【請求項５】
前記ＬＥＤを複数ずつユニット化し、前記斜面の各々に、複数のユニットを着脱自在に取付けたことを特徴とする請求項１乃至４のうちいずれか一つに記載の内部照明式道路標識。
【発明の詳細な説明】
【技術分野】
【０００１】
本発明は、内部に発光部（光源）を有する内部照明式の道路標識に関するものである。
【背景技術】
【０００２】
高速道路等には、反射式道路標識と共に、図９に示すような、内部照明式の道路標識が多く設置されている。この内部照明式道路標識は、図１０に示すように、表面に、道路標示を記載した透光性に優れる繊維シート３を使用し、その内部に、光源として複数の蛍光灯１１を収納している。このような内部照明式道路標識は、例えば、特許文献１に開示されている。
【特許文献１】特開２００４−３４６５４１号公報
【０００３】
こうした構成の内部照明式道路標識１０は、内部に光源として蛍光灯１１を収納しているので、夜間や昼間の悪天候時においても、道路標示を明確に示すことができるといった特長を有する。
【発明の開示】
【発明が解決しようとする課題】
【０００４】
しかしながら、従来の内部照明式道路標識は、光源として蛍光灯を使用しており、この蛍光灯は比較的寿命が短いことから、新たなものと頻繁に交換する必要があるといった問題がある。
また、蛍光灯は長尺状であるため、複数の内、一本でも切れると道路標識の照度が広範部分にわたって低下し、道路標示が見え難くなってしまうといった問題がある。
【０００５】
そこで、本発明の目的とするところは、光源を頻繁に交換する必要がなく、また、光源の一部が切れても、道路標示を明確に示すことのできる内部照明式道路標識を提供することにある。
【課題を解決するための手段】
【０００６】
上記の目的を達成するために、本発明の請求項１に記載の内部照明式道路標識（１）は、道路標示を記載した繊維シート（３）で前面を形成した箱体（２）の内部に発光部（４）を配置し、内部から前記道路標示を照らし出す道路標識であって、
前記発光部（４）を、縦長で、前記箱体（２）の左右方向に複数並べて配置した基板（５）と、前記基板（５）の縦方向に複数、着脱自在に取付けたＬＥＤ（６）とで構成したことを特徴とする。
【０００７】
また、請求項２に記載の内部照明式道路標識（１）は、前記発光部（４）の基板（５）は、二つの斜面（５ａ，５ａ）を有しそれら斜面（５ａ，５ａ）の交線（５ｂ）が垂直に延びる水平断面山形状であり、前記ＬＥＤ（６）は、前記基板（５）の斜面（５ａ，５ａ）に対して取付けられることを特徴とする。
【０００８】
さらに、請求項３に記載の内部照明式道路標識（１）は、前記箱体（２）の左右両側端部に位置する基板（５）のうち、最端側の斜面（５ａ）に取付けるＬＥＤ（６）を縦方向に二列に配置し、他方の斜面（５ａ）および残りの基板（５）に取付けるＬＥＤ（６）を縦方向に一列に配置したことを特徴とする。
【０００９】
また、請求項４に記載の内部照明式道路標識（１）は、前記発光部（４）を、前記箱体（２）から挿脱自在としたことを特徴とする。
【００１０】
また、請求項５に記載の内部照明式道路標識（１）は、前記ＬＥＤ（６）を複数ずつユニット化し、前記斜面（５ａ）の各々に、複数のユニット（Ｕ）を着脱自在に取付けたことを特徴とする。
【００１１】
なお、カッコ内の記号は、図面および後述する発明を実施するための最良の形態に記載された対応要素または対応事項を示す。
【発明の効果】
【００１２】
本発明の請求項１に記載の内部照明式道路標識によれば、発光部に光源としてＬＥＤを使用しており、このＬＥＤは、従来の蛍光灯と比較して寿命が長いので、頻繁に交換する必要がない。
また、ＬＥＤは蛍光灯と比較して小さいので、一部のＬＥＤが切れても、それによって照度が低下する範囲は狭い。
従って、道路標示を明確に示すことができる。
【００１３】
また、請求項２に記載の内部照明式道路標識によれば、請求項１に記載の発明の作用効果に加えて、ＬＥＤは、水平断面山形状の基板の斜面に取付けているので、ＬＥＤの光は繊維シートにあらゆる角度から照射する。
従って、繊維シートの全体に充分な照度を均等に与えることができ、道路標示をさらに明確に示すことができる。
【００１４】
さらに、請求項３に記載の内部照明式道路標識によれば、請求項２に記載の発明の作用効果に加えて、箱体の左右両側端部に位置する基板のうち、最端側の斜面に取付けるＬＥＤのみを二列縦隊としたので、ＬＥＤの光が最も照射され難い部分である繊維シートの左右側端部に、その他の部分と同様な照度を与えることができる。
これにより、繊維シートに記載した道路標示の全体を、より明確に示すことができる。
【００１５】
また、請求項４に記載の内部照明式道路標識によれば、請求項１乃至３に記載の発明の作用効果に加えて、発光部を箱体から挿脱自在としたので、箱体から取出した状態で、基板のＬＥＤを交換することができる。
従って、ＬＥＤの交換を容易に行うことができる。
【００１６】
また、請求項５に記載の内部照明式道路標識によれば、請求項１乃至４に記載の発明の作用効果に加えて、ＬＥＤを複数ずつユニット化し、斜面の各々に、複数のユニットを着脱自在に取付けたので、例えば、一つのＬＥＤが切れた場合、それによって受ける悪影響を、同じユニットのＬＥＤに限定することができる。
従って、照度が低下する範囲を狭く抑えることができ、道路標示を明確に示すことができる。
【発明を実施するための最良の形態】
【００１７】
図１乃至図６を参照して、本発明の実施形態に係る内部照明式道路標識１について説明する。図１は、本発明の実施形態に係る内部照明式道路標識１を示す部分断面正面図であり、図２はその側面断面図である。図３は、図１のＡ−Ａ線拡大断面図である。図４は、図３の左側端部の基板５（図３の紙面上最も下側に位置する基板５）に取付けた発光部４を示す拡大図であり、図５は、その他の基板５（右側端部を除く）に取付けた発光部４を示す拡大図である。また、図６は、図１に示す道路標識１に使用する発光部４の正面図である。従来例で示したものと同一部分には、同一符号を付した。
【００１８】
この内部照明式道路標識１は、高速道路等に設置されるもので、道路標示を記載した繊維シート３で前面を形成した箱体２の内部に発光部４を配置したものである。
発光部４は、基板５と、光源である複数のＬＥＤ（発光ダイオード）６で構成される。
【００１９】
基板５は、箱体２の高さとほぼ等しい縦長で、箱体２の左右方向に複数並べて配置されている。また、基板５は、繊維シート３に斜行する二つの斜面５ａ，５ａを有する水平断面山形状（略Ｖ字状）であり、それら二つの斜面５ａ，５ａの交線５ｂが垂直に延びるように形成されている。なお、ここでは、基板５の二つの斜面５ａ，５ａの開き角度を鈍角、この例では約１００度とし、ＬＥＤ６から照射される光を反射して繊維シート３に効率的に照射するようにしている。
また、ＬＥＤ６は、各基板５の斜面５ａに対して縦方向に複数、着脱自在に取付けている。また、各基板５の上端部には、ＬＥＤ６に送電するためのリード線６ａを連結している。
【００２０】
なお、本実施形態では、図３乃至図５に示すように、ＬＥＤ６を、箱体２の両側端部、すなわち左側端部と右側端部に位置する二つの基板５のそれぞれの最外端側（左外端側および右外端側）の斜面に二列縦隊（縦方向に二列）で配置し、その他の斜面には一列縦隊（縦方向に一列）で配置している。
【００２１】
また、隣接する発光部４の間には、反射板９を設け、ＬＥＤ６から照射される光を反射して繊維シート３に効率的に照射するようにしている。
また、各発光部４は、箱体２に挿脱自在に設けており、この挿脱は、図７に示すように、箱体２の内部に、発光部４の基板５の両側端部が嵌着する保持部材７を設け、この保持部材７を、中間部分を軸として屈曲する屈曲部材８で支持している。屈曲部材８を屈曲させることによって、保持部材７を傾斜状態に後退させ、その状態で基板５を斜めにした状態で保持部材７から抜き取る。なお、箱体２には蓋部２ａを設けており、発光部４を挿脱する際に、この蓋部２ａを開放する。
【００２２】
本実施形態に係る内部照明式道路標識１は、光源をＬＥＤ６で構成しているので寿命が長く、よって、その交換を頻繁に行う必要がない。また、ＬＥＤ６は蛍光灯と異なり小さいので、並列接続しておくと、例えば、一つのＬＥＤ６が切れても、残りのＬＥＤ６は照射を続けることができる。従って、一つのＬＥＤ６の故障によって照度が低下する範囲はきわめて狭く、その結果、道路標示を引き続き明確に示すことができる。
【００２３】
また、ＬＥＤ６は、繊維シート３に斜行する基板５の斜面に取付けているので、そこから照射する光を繊維シート３にあらゆる角度から当てることができる。
これによって、繊維シート３の全体に充分な照度を均等に与えて、道路標示をより明確に示すことができる。
【００２４】
また、この内部照明式道路標識１は、箱体２の左右両側端部に位置する基板５のうち、最端側の斜面に取付けるＬＥＤ６を二列縦隊としているので、ＬＥＤ６の光が最も照射され難い部分である繊維シート３の左右側端部にも、その他の部分と同様に充分な照度を与えることができる。
これにより、繊維シート３に記載した道路標示を、さらに明確に示すことができる。
【００２５】
また、発光部４を箱体２から挿脱自在としているので、箱体２から取出した状態で、基板５のＬＥＤ６を交換することができる。
従って、ＬＥＤ６の交換がきわめて容易である。
【００２６】
なお、本実施形態に係る内部照明式道路標識１は、図８に示すように、ＬＥＤ６を複数ずつユニット化し、斜面５ａ，５ａの各々に、複数のユニットＵを着脱自在に取付けることができる。この場合、各ユニットＵのＬＥＤ６のみを直列接続し、他のユニットＵと並列接続しておくことが好ましい。
【００２７】
これにより、一つのＬＥＤ６が切れた場合、その影響を同じユニットＵのＬＥＤ６は受けるものの、他のユニットＵのＬＥＤ６はそのまま照射を続けることができる。従って、照度が低下する範囲を狭く抑えることができ、道路標示を明確に示すことができる。
【図面の簡単な説明】
【００２８】
【図１】本発明の実施形態に係る内部照明式道路標識を示す部分断面正面図である。
【図２】図１に示す道路標識の側面断面図である。
【図３】図１のＡ−Ａ線拡大断面図である。
【図４】図３の左側端部の基板に取付けた発光部を示す拡大図である。
【図５】図３のその他の基板（右側端部を除く）に取付けた発光部を示す拡大図である。
【図６】図１に示す道路標識に使用する発光部を示す正面図である。
【図７】図１に示す道路標識において、発光部の取出し状態を示す側面断面図である。
【図８】図１に示す道路標識に使用する発光部の他の態様を示す正面図である。
【図９】内部照明式道路標識を示す斜視図である。
【図１０】従来例に係る内部照明式道路標識を示す部分断面正面図である。
【符号の説明】
【００２９】
１        内部照明式道路標識
２        箱体
２ａ      蓋部
３        繊維シート
４        発光部
５        基板
５ａ      斜面
５ｂ      交線
６        ＬＥＤ（光源）
６ａ      リード線
７        保持部材
８        屈曲部材
９        反射板
１０        内部照明式道路標識
１１        蛍光灯
Ｕ        ユニット
【図１】
2009138372.tif 000003
【図２】
2009138372.tif 000004
【図３】
2009138372.tif 000005
【図４】
2009138372.tif 000006
【図５】
2009138372.tif 000007
【図６】
2009138372.tif 000008
【図７】
2009138372.tif 000009
【図８】
2009138372.tif 000010
【図９】
2009138372.tif 000011
【図１０】
2009138372.tif 000012